(57)【要約】【課題】  金属性の框の室内面または室外面に合成樹脂製のパネル体を安定して取付けでき、且つパネル体が熱で伸縮しても面外方向に変形することのないドアの提供。【解決手段】  金属製の框１，２，３，４と、合成樹脂製のパネル体５とを備え、パネル体は、框の室内面または室外面に配置し、上部を上框１に固定してあり、且つ下部に框側に突出する係止部６を有し、框は、下框２または縦框３，４下部のパネル体側にパネル体との係合部７を有し、框の係合部にパネル体の係止部が、パネル体の面外方向には移動せず且つ面内方向には移動可能な状態で係合していることを特徴とする。【選択図】      図１
2006241711.tif 000002
【特許請求の範囲】
【請求項１】
金属製の框と、合成樹脂製のパネル体とを備え、パネル体は、框の室内面または室外面に配置し、上部を上框に固定してあり、且つ下部に框側に突出する係止部を有しており、框は、下框または縦框下部のパネル体側にパネル体との係合部を有し、框の係合部にパネル体の係止部が、パネル体の面外方向には移動せず且つ面内方向には移動可能な状態で係合していることを特徴とするドア。
【発明の詳細な説明】
【技術分野】
【０００１】
本発明は、金属製の框と合成樹脂製のパネル体とを備えたドアに関する。
【背景技術】
【０００２】
一般に浴室用のドアは、図６に示すように、アルミ製の框９０を方形に枠組みし、框枠内周に形成した溝に、合成樹脂製のパネル体９１の周縁部を、ゴムパッキン９２を介して嵌挿保持した構造となっている。そのような構造のドアは、ゴムパッキン９２にカビが発生して浴室側が汚くなる不都合がある。また、組立てたドアの縦横の寸法Ｌは、框の寸法誤差や、框同士を固定するビスの締め付け強さの違い等により、若干大きくなったり小さくなったりすることがあり、パネル体９１は薄いプラスチック板を使用しているため、そのような組立時のドアの寸法Ｌの誤差に伴って、図６に二点鎖線で示すようにパネル体９１に面外方向の変形が生じることがある。
ゴムパッキンを使用しないでパネル体を框に取付けるには、框の室内面か室外面にパネル体を取付けることが考えられる。その場合、パネル体を框にビス等で固定すると、アルミ製の框と樹脂製のパネル体とでは熱膨張率が異なるため、パネル体に熱応力が生じてパネル体が面外方向に変形するおそれがあり、また、下框にパネル体の受け部を設けてパネル体の自重を下框で受けると、パネル体が面外方向に変形したり移動したりしやすくなる。
【０００３】
特許文献１には、框枠の内側にパネル体を配置し、パネル体の周縁部を弾力性のある保持部材でところどころ框に保持し、パネル体の熱による寸法変化を許容する構造の扉が記載されている。そのように、パネル体の周縁部を弾力性のある保持部材でところどころ保持する構造では、パネル体の保持力が十分ではなく、浴室用ドアのような大型のパネル体を取付けるドアに適用するのは困難であり、分散配置した保持部材が外部に露出するので体裁も悪い。
【特許文献１】特開２００３−１３８８５６号公報
【発明の開示】
【発明が解決しようとする課題】
【０００４】
本発明は以上に述べたような実情に鑑み、金属性の框の室内面または室外面に合成樹脂製のパネル体を安定して取付けでき、且つパネル体が熱で伸縮しても面外方向に変形することのないドアの提供を目的とする。
【課題を解決するための手段】
【０００５】
上記の課題を達成するために本発明のドアは、金属製の框と、合成樹脂製のパネル体とを備え、パネル体は、框の室内面または室外面に配置し、上部を上框に固定してあり、且つ下部に框側に突出する係止部を有しており、框は、下框または縦框下部のパネル体側にパネル体との係合部を有し、框の係合部にパネル体の係止部が、パネル体の面外方向には移動せず且つ面内方向には移動可能な状態で係合していることを特徴とする。
【発明の効果】
【０００６】
本発明のドアは、合成樹脂製のパネル体を金属製の框の室内面または室外面に配置したので、框の内周側にパネル体を保持するためのゴムパッキンが不要となり、ドアと略同じ大きさのパネル体を取付けできる。しかもパネル体は、上部を上框に固定して上吊りにし、且つ下部に設けた係止部を框の係合部に、パネル体の面外方向には移動せず且つ面内方向には移動可能な状態で係合しているため、パネル体が面外方向に移動することがなく、尚且つパネル体が熱で伸びても面外方向に変形することがなく、極めて安定して框に取付けできる。
【発明を実施するための最良の形態】
【０００７】
以下、本発明の実施の形態を図面に基づいて説明する。図１〜図３は、本発明のドアの一実施形態であって、浴室と脱衣室との間に設けられる浴室用ドアを示している。図３（ａ）は浴室側から見たドアの正面図、図３（ｂ）は脱衣室側から見たドアの正面図、図１はドアの縦断面図、図２はドアの横断面図である。
【０００８】
浴室への入口用に設けられた躯体開口部にはドア枠１０が固定して設置され、その内側にドア１１が上下のピボットヒンジ１２ａ，１２ｂにより回転自在に取付けてあり、ドア１１は浴室側に向けて開閉する。ドア枠１０の内周にはタイト材１３を設け、ドア１１との間の隙間を塞いである。ドア１１は、戸先框３と吊元框４の上端部に上框１を架設し、下端部に下框２を架設して枠組みを形成し、その浴室側面８にドア１１と略同じ大きさの合成樹脂製のパネル体５を取付けている。各框１，２，３，４は、アルミニウム合金の押出形材を使用している。下框２は、図１に示すように、上下に間隔をおいて設けた下框上部材２ａと下框下部材２ｂとからなり、両部材の間に浴室側から脱衣室側に連通する通気口１４を形成している。戸先框３と吊元框４の上下端部には、樹脂製のキャップ１５ａ，１５ｂをそれぞれ取付けてある。
【０００９】
パネル体５は、図４に示すように、ポリスチレン等の透明又は半透明な樹脂板１６の周縁部脱衣室側面に、合成樹脂製押出形材よりなる上縁材１７、下縁材１８、縦縁材１９，１９をそれぞれ取付けてあり、樹脂板１６の四隅部の脱衣室側面には合成樹脂製の角部キャップ２０を取付けてある。上縁材１７は、図１に示すように、樹脂板１６の脱衣室側面への当接部２１と、樹脂板の小口カバー部２２と、上框１への固定部２３を有し、さらに当接部２１には框側に突出して下向きＬ字状の係止部２４を設けてある。当接部２１は、上部と下部に長手方向に接着剤塗布溝２５ａ，２５ｂを形成してあり、該溝に透明なホットメルト接着剤２６を塗布して樹脂板１６と接着している。固定部２３は、上框１の上面に載置され、ビス２７で上框１に固定してある。上框１の浴室側の面には、上向きＬ字状の係合部２８を突出して形成してあり、その係合部２８に上縁材１７の係止部２４を係合している。
【００１０】
下縁材１８は、図１に示すように、樹脂板１６の脱衣室側面への当接部２９と、樹脂板の小口カバー部３０を有し、当接部２９の脱衣室側面には、框側に突出する下向きＬ字状の係止部６を上下に間隔をおいて複数形成してある。当接部２９は、上部と下部に長手方向に接着剤塗布溝３１ａ，３１ｂを形成してあり、該溝に透明なホットメルト接着剤２６を塗布して樹脂板１６と接着している。下框上部材２ａの浴室側面には、上向きＬ字状の係合部７が上下方向に間隔をおいて複数形成してあり、各係合部７に下縁材１８の係止部６が、パネル体５の面外方向（室内外方向）には移動せず且つ面内方向（上下方向及び左右方向）には移動可能な状態でそれぞれ係合しており、パネル体５の下方への伸びを許容すると共にパネル体５の面外方向の移動を規制している。下框上部材２ａの下縁部には塞ぎ材取付溝３２を形成してあり、該溝に塞ぎ材３３を取付けている。塞ぎ材３３は、框２ａとの間でパネル体５の下端部を挿入する凹部を形成するものであり、先端部がパネル体５の浴室側面に当接してパネル体５の下端部を覆っており、且つパネル体５の下方への伸びを許容するために、パネル体５の下端部と塞ぎ材３３との間に隙間３４を設けてある。
【００１１】
左右の縦縁材１９は、図２に示すように、樹脂板１６の脱衣室側面への当接部３５と、樹脂板の小口カバー部３６を有し、当接部３５の脱衣室側面にはＬ字状の係止部３７を外周側に向けて突出形成してある。当接部３５は、左右の縁部に長手方向に接着剤塗布溝３８ａ，３８ｂを形成してあり、該溝に透明なホットメルト接着剤２６を塗布して樹脂板１６と接着している。戸先框３と吊元框４の浴室側面には、Ｌ字状の係合部３９が内周側に向けて突出形成してあり、係合部３９に縦縁材１９の係止部３７が、パネル体５の面外方向（室内外方向）には移動せず且つ面内方向（上下方向及び左右方向）には移動可能な状態でそれぞれ係合しており、パネル体５の下方及び側方への伸びを許容すると共にパネル体５の面外方向の移動を規制している。戸先框３と吊元框４の浴室側面の外周側縁部には塞ぎ材取付溝４０を形成してあり、該溝に塞ぎ材４１を取付けている。塞ぎ材４１は、パネル体５の左右端縁部を覆っており、パネル体５の左右端部と塞ぎ材４１との間には隙間４２を設けてある。このように、塞ぎ材４１を戸先框３と吊元框４の外周側縁部に設けることで、パネル体５の横幅をドア１１の横幅と略同一とし、ドアの浴室側に全面的にパネル体５を取付けることができ、浴室側の外観が良好となる。
【００１２】
角部キャップ２０は、図５に示すように、樹脂板１６の脱衣室側面への当接部４３と、樹脂板の小口カバー部４４と、縦縁材１９との連結部４５とを有している。当接部４３には、小口カバー部４４の内側に沿ってＬ字状に接着剤塗布溝４６を形成してあり、該溝に透明なホットメルト接着剤を塗布して樹脂板１６と接着している。接着剤塗布溝４６は、上縁材１７、下縁材１８、左右の縦縁材１９の接着剤塗布溝２５ａ，３１ａ，３８ａと連続するものであり、これにより樹脂板１６の脱衣室側面の周縁部全周が接着剤２６で各縁材及び角部キャップの当接部２１，２９，３５，４３に接着されることとなり、樹脂板１６の外周から水が脱衣室側に浸入するのを接着剤２６でブロックしている。連結部４５は、両面テープで縦縁材１９の脱衣室側面に接着している。
【００１３】
ドア１１を組み立てる際の手順を示すと、まず樹脂板１６に上縁材１７、下縁材１８、左右の縦縁材１９、及び角部キャップ２０を接着取付し、パネル体５を形成する。次に、パネル体５の縦縁材１９の係止部３７に係合部３９を係合して戸先框３と吊元框４を取付け、パネル体５の上縁材１７の係止部２４に係合部２８を係合して上框１を取付け、パネル体５の下縁材１８の係止部６に係合部７を係合して下框上部材２ａを取付ける。次に、上縁材１７の固定部２３を上框１上面にビス２７で固定し、上框１と下框上部材２ａの端部を戸先框３と吊元框４にビス４７で固定する。次に、戸先框３と吊元框４、及び下框上部材２ａの塞ぎ材取付溝４０，３２に塞ぎ材４１，３３を取付ける。最後に、下框下部材２ｂを戸先框３と吊元框４の下端部間に取付ければドアの形が完成する。あとは戸先框３にハンドル４８と、ハンドル操作に連動してドア枠１０に係脱するラッチ４９を取付け、通常のドアと同様にドア枠１０内に取付ける。
なお、ドアの組立手順はこれに限定されるものではなく、はじめに上框１に上縁材１７を、下框２に下縁材１８を、戸先框３と吊元框４に縦縁材１９をそれぞれ係合してからドアの枠を枠組みし、角部キャップ２０をその四隅部に取付け、各縁材と角部キャップの接着剤塗布溝２５ａ，２５ｂ，３１ａ，３１ｂ，３８ａ，３８ｂ，４６に接着剤を塗布し、樹脂板１６を各縁材１７，１８，１９と角部キャップ２０に圧着するといった手順で組み立てることもできる。
【００１４】
本浴室用ドアは以上のように構成され、浴室側は図３（ａ）に示すようにドア１１の略全面がパネル体５で覆われているため、浴室側の外観が良く、従来のようにゴムパッキンがカビで汚れる不都合もなく、清掃が容易であり、止水性も良好である。パネル体５は、上部の上縁材１７を上框１に固定して上吊りとし、縦縁材１９と下縁材１８に設けた係止部３７，６を框の係合部３９，７に係合しているため、面外方向に移動することがなく、また、パネル体５が浴室内の気温上昇により温められて下方に伸びても、パネル体５の伸びを許容する形で下部の係止部６を下框の係合部７に係合しているため、パネル体５が面外方向に変形することがない。
【００１５】
本発明は以上に述べた実施形態に限定されない。パネル体は、上部を上框に固定して上吊りとし、下部の框側に形成した係止部を、下框または縦框下部に形成した係合部に係合していればよく、必ずしも下框と縦框の両方に係合する必要はない。パネル体の係止部、框の係合部の形状は、パネル体の面内方向の伸縮を許容し且つ面外方向の移動を規制する状態で互いに係合するものであれば、形状は問わない。パネル体の横幅が大きく、パネル体の側方への伸縮が大きい場合には、パネル体の上部を左右方向の中央部一箇所で上框に固定すると共に、パネル体の側部に設けた係止部を縦框の係合部に左右方向に移動可能に係合すればよい。また本発明のドアは、浴室用のドアに限らず、屋外との出入口に設置するドアや、クローゼットやキャビネット等のドアにも適用できる。下框は、通気口を設けないで、パネル体の下端を下框の下端近くまでのばしてあってもよい。
【図面の簡単な説明】
【００１６】
【図１】本発明の実施形態に係る浴室用ドアの縦断面図である。
【図２】本発明の実施形態に係る浴室用ドアの横断面図である。
【図３】（ａ）は、浴室側から見たドアの正面図であり、（ｂ）は、脱衣室側から見たドアの正面図である。
【図４】パネル体を脱衣室側から見た正面図である。
【図５】パネル体の四隅部に設ける角部キャップの斜視図である。
【図６】従来の框ドアの縦断面図である。
【符号の説明】
【００１７】
１  上框（框）
２，２ａ，２ｂ  下框（框）
３  戸先框（框）
４  吊元框（框）
５  パネル体
６  係止部
７  係合部
８  框の浴室側面（框の室内面）
【図１】
2006241711.tif 000003
【図２】
2006241711.tif 000004
【図３】
2006241711.tif 000005
【図４】
2006241711.tif 000006
【図５】
2006241711.tif 000007
【図６】
2006241711.tif 000008